【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
第１のサービス識別子を備える第１のメッセージを生成することと、ここにおいて、前記第１のサービス識別子が、サービス名とタイミング情報とに基づく第１のハッシュ値を含み、ここにおいて、前記第１のハッシュ値が、第１のハッシュ関数を適用することによって生成される、
前記第１のメッセージを送信することとを備え、
ここにおいて、前記タイミング情報は、第１のタイムスタンプ値の一部分を備え、ここにおいて、前記第１のタイムスタンプ値は、第１の発見ウィンドウのタイムスタンプ値を備え、ここにおいて、前記タイムスタンプ値は、前記第１の発見ウィンドウの開始時間に基づいて周期的にサンプリングされる、ワイヤレス近傍アウェアネットワークにおいてサービス情報を送信する方法。
【請求項２】
前記第１のハッシュ値は、さらに暗号化鍵に基づく、請求項１に記載の方法。
【請求項３】
第２のメッセージを生成することと、前記第２のメッセージが第２のサービス識別子を備え、ここにおいて、前記第２のサービス識別子が、前記サービス名と第２のタイムスタンプ値とに基づく第２のハッシュ値を含む、
前記第２のメッセージを送信することとをさらに備える、請求項１に記載の方法。
【請求項４】
前記第２のタイムスタンプ値は、前記第１の発見ウィンドウに対して、１６番目、８番目、４番目、２番目の発見ウィンドウごとに１回、または発見ウィンドウごとに周期的にサンプリングされる第２の発見ウィンドウの開始時間に基づくタイムスタンプ値を備える、請求項３に記載の方法。
【請求項５】
前記タイミング情報は、時間間隔カウンタの値を備える、請求項１に記載の方法。
【請求項６】
前記第１のメッセージは、サービス発行告知メッセージ、サービスサブスクライブ要求メッセージ、または前記サービス発行告知メッセージと前記サービスサブスクライブ要求メッセージとの組合せのうちの１つを備える、請求項１に記載の方法。
【請求項７】
前記第１のハッシュ関数は、セキュアハッシュアルゴリズム（ＳＨＡ）、巡回冗長検査（ＣＲＣ）、または小型暗号化アルゴリズム（ＴＥＡ）のうちの１つを備える、請求項１に記載の方法。
【請求項８】
第２のメッセージを生成することをさらに備え、前記第２のメッセージは、第２のサービス識別子を備え、ここにおいて、前記第２のサービス識別子が、前記第１のサービス識別子およびタイミング情報に少なくとも部分的に基づく第２のハッシュ値を含み、ここにおいて、前記第２のハッシュ値が、第２のハッシュ関数を適用することによって生成され、ここにおいて、前記第１のハッシュ関数を適用することが、前記第２のハッシュ関数を適用することよりも多くの計算を必要とする、請求項１に記載の方法。
【請求項９】
前記第１のハッシュ関数は、小型暗号化アルゴリズム（ＴＥＡ）を備え、前記第１のハッシュ値は、さらに暗号化鍵に基づく、請求項１に記載の方法。
【請求項１０】
前記第１のハッシュ値は、さらに、第２の暗号化鍵、ナンス、クラスタ識別子（ＩＤ）、および送信機媒体アクセス制御（ＭＡＣ）アドレスのうちの少なくとも１つに基づく、請求項９に記載の方法。
【請求項１１】
前記ナンスは、アンカーマスタノードによって告知された番号を備える、請求項１０に記載の方法。
【請求項１２】
第１のサービス識別子を備える第１のメッセージを生成するための手段と、ここにおいて、前記第１のサービス識別子が、サービス名とタイミング情報とに基づく第１のハッシュ値を含み、ここにおいて、前記第１のハッシュ値が、第１のハッシュ関数を適用することによって生成される、
前記第１のメッセージを送信するための手段とを備え、
前記タイミング情報は、第１のタイムスタンプ値の一部分を備え、前記第１のタイムスタンプ値は、第１の発見ウィンドウのタイムスタンプ値を備え、前記タイムスタンプ値は、前記第１の発見ウィンドウの開始時間に基づいて周期的にサンプリングされる、ワイヤレス近傍アウェアネットワークにおいてサービス情報を送信するための装置。
【請求項１３】
前記第１のメッセージが、サービス発行告知メッセージ、サービスサブスクライブ要求メッセージ、または前記サービス発行告知メッセージと前記サービスサブスクライブ要求メッセージとの組合せのうちの１つを備える、請求項１２に記載の装置。
【請求項１４】
第１のメッセージを生成するための前記手段は、プロセッサによって提供され、前記第１のメッセージを送信するための前記手段は、送信機によって提供される、請求項１２に記載の装置。
【請求項１５】
請求項１から１１のいずれか一項に記載の方法の全てのステップを実装するようにコンピュータ実行可能であるプログラム命令を備えるコンピュータプログラム。
【手続補正２】
【補正対象書類名】明細書
【補正対象項目名】００６８
【補正方法】変更
【補正の内容】
【００６８】
[0074]同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実行され、依然として望ましい結果を達成することができる。
以下に本願の出願当初の特許請求の範囲に記載された発明を付記する。
［Ｃ１］
第１のサービス識別子を備える第１のメッセージを生成することと、ここにおいて、前記第１のサービス識別子が、サービス名とタイミング情報とに基づく第１のハッシュ値を含み、ここにおいて、前記第１のハッシュ値が、第１のハッシュ関数を適用することによって生成される、
前記第１のメッセージを送信することとを備える、ワイヤレス近傍アウェアネットワークにおいてサービス情報を送信する方法。
［Ｃ２］
前記第１のハッシュ値は、さらに暗号化鍵に基づく、Ｃ１に記載の方法。
［Ｃ３］
前記タイミング情報は、第１のタイムスタンプ値の一部分を備える、Ｃ１に記載の方法。
［Ｃ４］
前記第１のタイムスタンプ値は、第１の発見ウィンドウまたは現在時刻のタイムスタンプ値を備える、Ｃ３に記載の方法。
［Ｃ５］
前記第１のタイムスタンプ値は、前記第１の発見ウィンドウの開始時間を備える、Ｃ４に記載の方法。
［Ｃ６］
前記第１のタイムスタンプ値は、前記第１の発見ウィンドウの開始時間に基づいて周期的にサンプリングされるタイムスタンプ値を備える、Ｃ４に記載の方法。
［Ｃ７］
第２のメッセージを生成することと、前記第２のメッセージが第２のサービス識別子を備え、ここにおいて、前記第２のサービス識別子が、前記サービス名と第２のタイムスタンプ値とに基づく第２のハッシュ値を含む、
前記第２のメッセージを送信することとをさらに備える、Ｃ４に記載の方法。
［Ｃ８］
前記第２のタイムスタンプ値は、前記第１の発見ウィンドウに対して、１６番目、８番目、４番目、２番目の発見ウィンドウごとに１回、または発見ウィンドウごとに周期的にサンプリングされる第２の発見ウィンドウの開始時間に基づくタイムスタンプ値を備える、Ｃ７に記載の方法。
［Ｃ９］
前記タイミング情報は、時間間隔カウンタの値を備える、Ｃ１に記載の方法。
［Ｃ１０］
前記第１のメッセージは、サービス発行告知メッセージ、サービスサブスクライブ要求メッセージ、または前記サービス発行告知メッセージと前記サービスサブスクライブ要求メッセージとの組合せのうちの１つを備える、Ｃ１に記載の方法。
［Ｃ１１］
前記第１のハッシュ関数は、セキュアハッシュアルゴリズム（ＳＨＡ）、巡回冗長検査（ＣＲＣ）、または小型暗号化アルゴリズム（ＴＥＡ）のうちの１つを備える、Ｃ１に記載の方法。
［Ｃ１２］
第２のメッセージを生成することをさらに備え、前記第２のメッセージは、第２のサービス識別子を備え、ここにおいて、前記第２のサービス識別子が、前記第１のサービス識別子に少なくとも部分的に基づく第２のハッシュ値を含み、ここにおいて、前記第２のハッシュ値が、第２のハッシュ関数を適用することによって生成され、ここにおいて、前記第１のハッシュ関数を適用することが、前記第２のハッシュ関数を適用することよりも多くの計算を必要とする、Ｃ１に記載の方法。
［Ｃ１３］
前記第１のハッシュ関数は、小型暗号化アルゴリズム（ＴＥＡ）を備え、前記第１のハッシュ値は、さらに暗号化鍵に基づく、Ｃ１に記載の方法。
［Ｃ１４］
前記第１のハッシュ値は、さらに、第２の暗号化鍵、ナンス、クラスタ識別子（ＩＤ）、および送信機媒体アクセス制御（ＭＡＣ）アドレスのうちの少なくとも１つに基づく、Ｃ１３に記載の方法。
［Ｃ１５］
前記ナンスは、アンカーマスタノードによって告知された番号を備える、Ｃ１４に記載の方法。
［Ｃ１６］
第１のサービス識別子を備える第１のメッセージを生成するように構成されたプロセッサと、ここにおいて、前記第１のサービス識別子が、サービス名とタイミング情報とに基づく第１のハッシュ値を含み、ここにおいて、前記第１のハッシュ値が、第１のハッシュ関数を適用することによって生成される、
前記第１のメッセージを送信するように構成された送信機とを備える、ワイヤレス近傍アウェアネットワークにおいてサービス情報を送信するための装置。
［Ｃ１７］
前記第１のハッシュ値は、さらに暗号化鍵に基づく、Ｃ１６に記載の装置。
［Ｃ１８］
前記タイミング情報は、第１のタイムスタンプ値の一部分を備える、Ｃ１６に記載の装置。
［Ｃ１９］
前記第１のタイムスタンプ値は、第１の発見ウィンドウまたは現在時刻のタイムスタンプ値を備える、Ｃ１７に記載の装置。
［Ｃ２０］
前記タイミング情報は、時間間隔カウンタの値を備える、Ｃ１６に記載の装置。
［Ｃ２１］
前記第１のメッセージは、サービス発行告知メッセージ、サービスサブスクライブ要求メッセージ、または前記サービス発行告知メッセージと前記サービスサブスクライブ要求メッセージとの組合せのうちの１つを備える、Ｃ１６に記載の装置。
［Ｃ２２］
第１のサービス識別子を備える第１のメッセージを生成するための手段と、ここにおいて、前記第１のサービス識別子が、サービス名とタイミング情報とに基づく第１のハッシュ値を含み、ここにおいて、前記第１のハッシュ値が、第１のハッシュ関数を適用することによって生成される、
前記第１のメッセージを送信するための手段とを備える、ワイヤレス近傍アウェアネットワークにおいてサービス情報を送信するための装置。
［Ｃ２３］
前記第１のハッシュ値は、さらに暗号化鍵に基づく、Ｃ２２に記載の装置。
［Ｃ２４］
前記タイミング情報値は、第１の発見ウィンドウまたは現在時刻のタイムスタンプ値の一部分を備える、Ｃ２３に記載の装置。
［Ｃ２５］
前記タイミング情報は、時間間隔カウンタの値を備える、Ｃ２２に記載の装置。
［Ｃ２６］
前記第１のメッセージが、サービス発行告知メッセージ、サービスサブスクライブ要求メッセージ、または前記サービス発行告知メッセージと前記サービスサブスクライブ要求メッセージとの組合せのうちの１つを備える、Ｃ２２に記載の装置。
［Ｃ２７］
第２のメッセージを生成するための手段をさらに備え、前記第２のメッセージが第２のサービス識別子を備え、ここにおいて、前記第２のサービス識別子が、前記第１のサービス識別子に少なくとも部分的に基づく第２のハッシュ値を含み、ここにおいて、前記第２のハッシュ値が、第２のハッシュ関数を適用することによって生成され、ここにおいて、前記第１のハッシュ関数を適用することが、前記第２のハッシュ関数を適用することよりも多くの計算を必要とする、Ｃ２２に記載の装置。
［Ｃ２８］
実行されたとき、
第１のサービス識別子を備える第１のメッセージを生成することと、ここにおいて、前記第１のサービス識別子が、サービス名とタイミング情報とに基づく第１のハッシュ値を含み、ここにおいて、前記第１のハッシュ値が、第１のハッシュ関数を適用することによって生成される、
前記第１のメッセージを送信することとを装置に行わせるコードを備える非一時的コンピュータ可読媒体。
［Ｃ２９］
前記第１のハッシュ関数は、小型暗号化アルゴリズム（ＴＥＡ）を備え、前記第１のハッシュ値が暗号化鍵にさらに基づく、Ｃ２８に記載の媒体。
［Ｃ３０］
前記第１のハッシュ値は、さらに、第２の暗号化鍵、ナンス、クラスタ識別子（ＩＤ）、および送信機媒体アクセス制御（ＭＡＣ）アドレスのうちの少なくとも１つに基づく、Ｃ２９に記載の媒体。